(57)【特許請求の範囲】
【請求項１】
入力装置から受信した入力画像データを、出力装置の色再現域に応じた色空間に変換して、該出力装置に出力する画像データの色変換装置であって、
前記入力画像データの色空間における色相毎の彩度量の分布情報をそれぞれ算出する彩度量分布情報算出手段と、
前記彩度量分布情報に基づいて各色相の彩度比率をそれぞれ算出する彩度比率算出手段と、
前記出力装置の色再現域の色空間における色相毎の再現可能な範囲域情報として最外郭彩度をそれぞれ算出して保持する彩度範囲情報算出手段と、
前記彩度比率及び前記範囲域情報に基づいて、該彩度比率を維持した状態で該彩度範囲内に収まるような色相毎の修正彩度値をそれぞれ算出する修正彩度値算出手段と、
前記修正彩度値に基づいて出力画像データを作成して、該出力画像データを前記出力装置に出力する画像データ出力手段と、
を備え、
前記彩度比率算出手段が、色相の区分毎に彩度値の正規化を行って、各色相の彩度比率をそれぞれ算出し、
前記修正彩度値算出手段が、色相毎に、前記彩度比率と前記最外郭彩度とを乗算し、この乗算により得られた積を該色相における前記修正彩度値とする
ことを特徴とする画像データの色変換装置。
【請求項２】
前記彩度量分布情報算出手段が、前記入力画像データの色空間の色相を複数の角度に区分して、区分された色相毎の彩度量の分布情報をそれぞれ算出する
ことを特徴とする請求項１記載の画像データの色変換装置。
【請求項３】
前記彩度範囲情報算出手段が、前記出力装置の色再現域の色空間における色相を複数の角度に区分して、区分された色相毎の再現可能な範囲域情報をそれぞれ算出して保持する
ことを特徴とする請求項１又は２記載の画像データの色変換装置。
【請求項４】
入力装置から受信した入力画像データを、出力装置の色再現域に応じた色空間に変換して、該出力装置に出力する画像データの色変換方法であって、
前記入力画像データの色空間における色相毎の彩度量の分布情報をそれぞれ算出する彩度量分布情報算出処理と、
前記彩度量分布情報に基づいて各色相の彩度比率をそれぞれ算出する彩度比率算出処理と、
前記出力装置の色再現域の色空間における色相毎の再現可能な範囲域情報として最外郭彩度をそれぞれ算出して保持する彩度範囲情報算出処理と、
前記彩度比率及び前記範囲域情報に基づいて、該彩度比率を維持した状態で該彩度範囲内に収まるような色相毎の修正彩度値をそれぞれ算出する修正彩度値算出処理と、
前記修正彩度値に基づいて出力画像データを作成して、該出力画像データを前記出力装置に出力する画像データ出力処理と、
を備え、
前記彩度比率算出処理において、色相の区分毎に彩度値の正規化を行って、各色相の彩度比率をそれぞれ算出し、
前記修正彩度値算出処理において、色相毎に、前記彩度比率と前記最外郭彩度とを乗算し、この乗算により得られた積を該色相における前記修正彩度値とする
ことを特徴とする画像データの色変換方法。
【請求項５】
入力装置から受信した入力画像データを、出力装置の色再現域に応じた色空間に変換して、該出力装置に出力する画像データの色変換処理を色変換装置に実行させる色変換プログラムであって、
前記入力画像データの色空間における色相毎の彩度量の分布情報をそれぞれ算出する彩度量分布情報算出処理と、
前記彩度量分布情報に基づいて各色相の彩度比率をそれぞれ算出する彩度比率算出処理と、
前記出力装置の色再現域の色空間における色相毎の再現可能な範囲域情報として最外郭彩度をそれぞれ算出して保持する彩度範囲情報算出処理と、
前記彩度比率及び前記範囲域情報に基づいて、該彩度比率を維持した状態で該彩度範囲内に収まるような色相毎の修正彩度値をそれぞれ算出する修正彩度値算出処理と、
前記修正彩度値に基づいて出力画像データを作成して、該出力画像データを前記出力装置に出力する画像データ出力処理と、
を前記色変換装置に実行させ、
前記彩度比率算出処理において、色相の区分毎に彩度値の正規化を行って、各色相の彩度比率をそれぞれ算出させ、
前記修正彩度値算出処理において、色相毎に、前記彩度比率と前記最外郭彩度とを乗算させ、この乗算により得られた積を該色相における前記修正彩度値とさせる
ことを特徴とする画像データの色変換プログラム。
【発明の詳細な説明】
【技術分野】
【０００１】
本発明は、例えば、イメージスキャナやデジタルカメラ等の入力装置から受け取った入力画像データを、カラー電子写真プリンタ，カラー複写装置，インクジェットプリンタ等の出力装置の色再現域に応じた色空間に変換して、該出力装置に出力する画像データの色変換装置、色変換方法及び色変換プログラムに関する。
【背景技術】
【０００２】
イメージスキャナやデジタルカメラ等の入力装置から出力された入力画像データは、表示装置用の色変換装置によってＲ（レッド）Ｇ（グリーン）Ｂ（ブルー）画像形式に変換された後、ディスプレイ等に表示され、また、出力装置用の色変換装置によってＣ（シアン）Ｍ（マゼンタ）Ｙ（イエロー）Ｋ（ブラック）画像形式に変換された後、プリンタ等により印刷される。
【０００３】
ところで、前記入力画像データは、通常、ＲＧＢ画像形式であるため、入力装置と表示装置との間では、色再現域がほぼ同一の色空間で色変換することができるが、入力装置と出力装置との間では、ＲＧＢ画像形式をＣＭＹＫ画像形成という色再現域の異なる色空間に変換する必要があるため、ＲＧＢの色空間を格子状に分割し、その格子点における変換値を色変換テーブルを用いて全色調をＣＭＹＫ画像形式に変換している。
【０００４】
また、従来、ＲＧＢ画像形式をＣＭＹＫ画像形成に変換する装置として、例えば、入力画像データ中の特定色について、出力画像データが人間の感性に沿った出力になるように変換する装置（例えば、特許分文献１参照）や、ＲＧＢの色再現範囲外のデータを、ＣＭＫＹの色再現範囲の最外郭の彩度にクリッピングする装置（例えば、特許文献２参照）が提案されている。
【特許文献１】特開平６−１２１１５９号公報
【特許文献２】特開平７−２９８０７３号公報
【発明の開示】
【発明が解決しようとする課題】
【０００５】
しかしながら、上記特許文献１及び特許文献２においては、いずれの場合も、ＲＧＢの入力画像データの彩度量分布がＣＭＹＫの出力画像データに反映されずに色変換されてしまい、出力装置で印刷された写真等に彩度のばらつきが発生してしまう問題がある。
【０００６】
また、上記特許文献２では、ＲＧＢの色再現域外のデータを、ＣＭＫＹの色再現域の最外郭の彩度にクリッピングする際に、クリッピング量が大きい高彩度部で潰れが発生し、高彩度部分で滑らかな階調を再現することが難しいという問題がある。
【０００７】
本発明は、このような不都合を解消するためになされたものであり、出力画像データの彩度のばらつきを防止することができるとともに、出力装置の色再現域の高彩度部分での潰れを防止して、高彩度部分での滑らかな階調を再現することができる画像データの色変換装置、色変換方法及び色変換プログラムを提供することを目的とする。
【課題を解決するための手段】
【０００８】
上記目的を達成するために、本発明の画像データの色変換装置は、入力装置から受信した入力画像データを、出力装置の色再現域に応じた色空間に変換して、該出力装置に出力する画像データの色変換装置であって、前記入力画像データの色空間における色相毎の彩度量の分布情報をそれぞれ算出する彩度量分布情報算出手段と、前記彩度量分布情報に基づいて各色相の彩度比率をそれぞれ算出する彩度比率算出手段と、前記出力装置の色再現域の色空間における色相毎の再現可能な範囲域情報をそれぞれ算出して保持する彩度範囲情報算出手段と、前記彩度比率及び前記範囲域情報に基づいて、該彩度比率を維持した状態で該彩度範囲内に収まるような色相毎の修正彩度値をそれぞれ算出する修正彩度値算出手段と、前記修正彩度値に基づいて出力画像データを作成して、該出力画像データを前記出力装置に出力する画像データ出力手段と、を備えた構成としてある。
【０００９】
上記構成によれば、入力画像データの全色相の彩度比率を維持した状態で、該入力画像データを出力装置の色再現域の彩度範囲内で色変換して出力画像データを得ることができる。
これにより、入力画像データの彩度量分布が色再現域の異なる出力画像データに反映するように色変換することができ、この結果、出力画像データの彩度のばらつきを防止することができるとともに、出力装置の色再現域の高彩度分での潰れを防止して、高彩度部分での滑らかな階調を再現することができる。
【００１０】
また、本発明の画像データの色変換装置は、前記彩度量分布情報算出手段が、前記入力画像データの色空間の色相を複数の角度に区分して、区分された色相毎の彩度量の分布情報をそれぞれ算出する構成としてある。
【００１１】
更に、本発明の画像データの色変換装置は、前記彩度比率算出手段が、色相の区分毎に彩度値の正規化を行って、各色相の彩度比率をそれぞれ算出する構成としてある。
【００１２】
更に、本発明の画像データの色変換装置は、前記彩度範囲情報算出手段が、前記出力装置の色再現域の色空間における色相を複数の角度に区分して、区分された色相毎の再現可能な範囲域情報をそれぞれ算出して保持する構成としてある。
【００１３】
更に、本発明の画像データの色変換装置は、前記修正彩度値算出手段が、色相毎に、前記彩度比率と前記範囲域情報とを乗算し、この乗算により得られた積を該色相における前記修正彩度値とする構成としてある。
【００１４】
本発明の画像データの色変換方法は、入力装置から受信した入力画像データを、出力装置の色再現域に応じた色空間に変換して、該出力装置に出力する画像データの色変換方法であって、前記入力画像データの色空間における色相毎の彩度量の分布情報をそれぞれ算出する彩度量分布情報算出処理と、前記彩度量分布情報に基づいて各色相の彩度比率をそれぞれ算出する彩度比率算出処理と、前記出力装置の色再現域の色空間における色相毎の再現可能な範囲域情報をそれぞれ算出して保持する彩度範囲情報算出処理と、前記彩度比率及び前記範囲域情報に基づいて、該彩度比率を維持した状態で該彩度範囲内に収まるような色相毎の修正彩度値をそれぞれ算出する修正彩度値算出処理と、前記修正彩度値に基づいて出力画像データを作成して、該出力画像データを前記出力装置に出力する画像データ出力処理と、を備えた構成としてある。
【００１５】
本発明の色変換プログラムは、入力装置から受け取った入力画像データを、出力装置の色再現域に応じた色空間に変換して、該出力装置に出力する画像データの色変換処理を色変換装置に実行させる色変換プログラムであって、前記入力画像データの色空間の色相を複数の角度に区分して、区分された色相毎の彩度量の分布情報をそれぞれ算出する彩度量分布情報算出処理と、前記彩度量分布情報に基づいて各色相の彩度比率をそれぞれ算出する彩度比率算出処理と、前記出力装置の色再現域の色空間における色相を複数の角度に区分して、区分された色相毎の再現可能な彩度範囲情報をそれぞれ算出して保持する彩度範囲情報算出処理と、前記彩度比率及び前記彩度範囲情報に基づいて、該彩度比率を維持した状態で該彩度範囲内に収まるような色相毎の修正彩度値をそれぞれ算出する修正彩度値算出処理と、前記修正彩度値に基づいて出力画像データを作成して、該出力画像データを前記出力装置に出力する画像データ出力処理と、を前記色変換装置に実行させる構成としてある。
【発明の効果】
【００１６】
本発明によれば、入力画像データの彩度量分布が色再現域の異なる出力画像データに反映するように色変換することができるので、出力画像データの彩度のばらつきを防止することができるとともに、出力装置の色再現域の高彩度部分での潰れを防止して、高彩度部分での滑らかな階調を再現することができる。
【発明を実施するための最良の形態】
【００１７】
以下、本発明の実施の形態の一例を図を参照して説明する。図１は本発明の実施の形態の一例である画像データの色変換装置を備えたカラー画像処理システムのブロック図、図２は本発明の実施の形態の一例である画像データの色変換装置のブロック図、図３は全色相における入力画像データを複数の色相角で区分した状態を示す図、図４は一つの色相角における彩度値の分布を示すグラフ図、図５は対応テーブル情報の各値を示す図表、図６はＣＭＹ１００％組み合わせカラーサンプルを示す図、図７は図６に示したカラーサンプルの測色した結果を示す図、図８は本発明の実施の形態の一例である色変換装置の動作を説明するためのフローチャート図である。
【００１８】
図１において、符号１はイメージスキャナやデジタルカメラ等の入力装置であり、入力装置１から出力されたＲＧＢの入力画像データは、色変換装置２及び本発明の実施の形態の一例である色変換装置４によって受信される。
そして、色変換装置２によって受信された受信データに基づいて、表示色再現域に応じたＲＧＢ画像形式に変換された後、ディスプレイ等の表示装置３に表示され、また、色変換装置４によって受信された受信データに基づいて、出力色再現域に応じたＣＭＹＫ画像形式に変換された後、プリンタ等の出力装置５により印刷される。
【００１９】
本発明の実施の形態の一例である画像データの色変換装置４は、例えば、ディジタル画像処理コンピュータ等により構成されており、図２に示すように、彩度量分布情報算出手段６、彩度比率算出手段７、彩度範囲情報算出手段８、修正彩度値算出手段９及び画像データ出力手段１０を備えている。これらの手段の各処理は、色変換装置４の記憶手段（ＲＯＭやハードディスク等）に記憶された色変換プログラムがＲＡＭにロードされて、ＣＰＵにより実行される。
【００２０】
彩度量分布情報算出手段６は、図３に示すように、ＲＧＢ入力画像データの色空間の色相を複数の角度に区分（本実施の形態では、６区分）して、区間毎の色相角（Ｈｕｅ）のＬＣｈ（Ｌ：明度、Ｃ：彩度、ｈ：色相）値を算出するとともに、ＬＣｈ値に基づいて彩度量分布Ｘｉを算出する。なお、ここでの色相の区分は、画像データが少なくとも３つ存在するように区分するのが好ましい。
【００２１】
彩度比率算出手段７は、彩度量分布情報算出手段６によって得られた彩度量分布Ｘｉの全データを区間毎に正規化し、各区間で使用している全てのＲＧＢ入力画像データにおける正規化された値Ｕｏｉ（図４参照）を、次式（１）を用いて算出する。
Ｕｏｉ＝（Ｘｉ−Ｘａｖｅ）／ｓ                    …（１）
但し、
Ｘａｖｅ：その色相における彩度Ｘの平均値
ｓ：標準偏差
一般的には、この正規化された値Ｕｏｉは、平均０、標準偏差１の値を取ることが知られている。
【００２２】
次に、正規化された彩度比率は９９％信頼区間において、−３Σ〜＋３Σという負の値を取るので（図４参照）、この正規化された値Ｕｏｉの中での彩度比率ratio（Ｕｏｉ）を、次式（２）により算出する。
ratio（Ｕｏｉ）＝（Ｕｏｉ−Min（Ｕｏｉ））／Max（Ｕｏｉ）−Min（Ｕｏｉ）    …（２）
上式（２）より、この彩度比率ratio（Ｕｏｉ）は、０〜１の値を取る。
【００２３】
そして、上記彩度量分布情報算出手段６及び彩度比率算出手段７によって求められた各区間ｎｏ（ｉ）のＲＧＢ入力画像データ、色相角Ｈｕｅ、正規化された値Ｕｏｉ及び彩度比率 ratio（Ｕｏｉ）は、例えば、図５のように一覧として記憶手段に記憶する。なお、ＲＧＢ入力画像データの色空間における色相は、官能検査等で変換・移動が必要とされた場合は移動後の色相区間における彩分布比率ratio（Ｕｏｉ）を算出する。
【００２４】
彩度範囲情報算出手段８は、出力装置５の色再現域のＣＭＹＫ色空間における色相を複数の角度に区分して、区間毎の色相角Ｈｕｅの再現可能な最外郭彩度を求める。
具体的には、プリンタの最外郭彩度になるＣＭＹ１００％の組み合わせたカラーサンプルを測色して、その測色値から各色相（Ｈｕｅ）毎の最外郭彩度を算出する。
ＣＭＹ１００％の組み合わせカラーサンプルとは、図６に示すように、Ｍ１００％  →  ＭＹ１００％  →  Ｙ１００％  →  ＣＹ１００％  →  Ｃ１００％  →  ＣＭ１００％  →  Ｍ１００％で構成されたサンプルをさす。
図６のサンプルを測色すると、図７に示すようになる。それぞれを色相ごとに分割して最外郭彩度を算出する。そして、この算出した最外郭彩度を対応テーブル情報として記憶手段に記憶する。
【００２５】
出力装置５側のＨｕｅ情報及び最外郭彩度情報を図５に示すテーブルに併せて示す。なお、ＣＭＹＫ色空間における色相の区分の仕方は、彩度量分布情報算出手段６におけるＲＧＢ色空間の色相の区分と合わせなくてもよい。
【００２６】
修正彩度値算出手段９は、彩度比率算出手段７によって求められた彩度比率ratio（Ｕｏｉ）及び彩度範囲情報算出手段８によって求められた最外郭彩度に基づいて、彩度比率ratio（Ｕｏｉ）を維持した状態で、かつ、彩度０から最外郭彩度の間に収まるような色相毎の修正彩度値（Ｃ′）をそれぞれ算出する。この実施の形態では、彩度比率ratio（Ｕｏｉ）と出力装置５の最外郭彩度との積値を修正彩度値（Ｃ′）とし、次式（３）を用いて算出する。
修正彩度値（Ｃ′）＝ratio（Ｕｏｉ）×最外郭彩度      …（３）
【００２７】
画像データ出力手段１０は、修正彩度値算出手段９によって求められた修正彩度値（Ｃ′）を再現可能なＣＭＹＫ値を色変換テーブルの値とすることによって、ＲＧＢ→ＣＭＹＫ色変換テーブルを作成し、これを出力画像データとして出力装置５に出力する。
【００２８】
次に、図８を参照して、上記のように構成された色変換装置４の動作を説明する。ここで、ステップＳ１は彩度量分布情報算出手段６、ステップＳ２及びステップＳ３は彩度比率算出手段７、ステップＳ４は彩度範囲情報算出手段８、ステップＳ５は修正彩度値算出手段９、ステップＳ６及びステップＳ７は画像データ出力手段１０にそれぞれ対応する。
【００２９】
まず、ステップＳ１では、入力装置１から受け取ったＲＧＢ入力画像データの色空間の色相を６つの角度に区分して、区間毎の色相角のＬＣｈ値を算出するとともに、ＬＣｈ値に基づいて彩度量分布情報を算出する。
次に、ステップＳ２で、彩度量分布の全データを区間毎に正規化し、各区間で使用している全てのＲＧＢ入力画像データにおける正規化された値Ｕｏｉを、式（１）を用いて算出して、ステップＳ３に移行し、ステップＳ３では、正規化された値Ｕｏｉの中での０〜１間の彩度比率ratio（Ｕｏｉ）を式（２）を用いて算出する。
【００３０】
ステップＳ４では、出力装置５の色再現域のＣＭＹＫ色空間における色相を複数の角度に区分して、区間毎の色相角Ｈｕｅの再現可能な最外郭彩度を求める。
ステップＳ５では、彩度比率ratio（Ｕｏｉ） 及び最外郭彩度に基づいて、彩度比率ratio（Ｕｏｉ）を維持した状態で、かつ、彩度０から最外郭彩度の間に収まるような色相毎の修正彩度値（Ｃ′）を（３）式を用いて算出する。
【００３１】
ステップＳ６では、修正彩度値（Ｃ′）を再現可能なＣＭＹＫ値を色変換テーブルの値として、ＲＧＢ→ＣＭＹＫ色変換テーブルを作成し、これを出力画像データとする。
次いで、ステップＳ７で、出力画像データを出力装置５に出力し、これにより、出力装置５による印刷処理等が行われる。
【００３２】
上記の説明から明らかなように、この実施の形態では、ＲＧＢ入力画像データの全色相の彩度比率を維持した状態で、該入力画像データを出力装置５のＣＭＹＫ色再現域の彩度範囲内で色変換して出力画像データを得ることができる。
これにより、ＲＧＢ入力画像データの彩度量分布が色再現域の異なるＣＭＹＫ出力画像データに反映するように色変換することができ、この結果、ＣＭＹＫ出力画像データの彩度のばらつきを防止して、全色相彩度をバランスよく配置することができるとともに、出力装置５の色再現域の高彩度部分での潰れを防止して、高彩度部分での滑らかな階調を再現することができる。
【００３３】
また、必要以上に彩度を上げずに各設計値を算出することにより、ベタ付近での色相線の歪みの発生を防ぐことができる。
更に、色変換テーブルのアルゴリズムを崩すことなく特定色のマッチングを行うことにより、全色調を忠実、かつ、所望の通りに色再現することができる。
【００３４】
次に、色変換プログラムについて説明する。
上記の実施形態におけるコンピュータ（色変換装置など）の色変換機能は、記憶手段（例えば、ＲＯＭやＨＤＤなど）に記憶された色変換プログラムにより実現される。
色変換プログラムは、コンピュータの制御手段（ＣＰＵなど）に読み込まれることにより、コンピュータの構成各部に指令を送り、色変換処理、たとえば、彩度量分布情報算出手段６による彩度量分布の算出処理、彩度比率算出手段７による彩度比率ratio（Ｕｏｉ）の算出処理、彩度範囲情報算出手段８による最外郭彩度の算出処理、修正彩度値算出手段９による修正彩度値（Ｃ′）の算出処理、画像データ出力手段１０による色変換テーブル作成及び出力処理などを行わせる。
これら色変換処理は、ソフトウェアである色変換プログラムとハードウエア資源であるコンピュータ（色変換装置など）の各構成部とが協働することにより実現される。
【００３５】
なお、本発明の色変換処理を実現するための色変換プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、色変換装置等に外部接続されるメモリ増設装置を例示することができる。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等を例示することができる。
【００３６】
そして、記録媒体に記録されたプログラムは、コンピュータのＲＡＭ等にロードされて、ＣＰＵにより実行される。この実行により、上述した本実施形態の色変換処理機能が実現される。
さらに、コンピュータで本発明の色変換プログラムをロードする場合、他のコンピュータで保有された色変換プログラムを、通信回線を利用して自己のコンピュータの有するＲＡＭや外部記憶装置にダウンロードすることもできる。このダウンロードされた色変換プログラムも、ＣＰＵにより実行され、本実施形態の色変換処理機能を実現する。
【００３７】
なお、本発明の入力装置、出力装置、彩度量分布情報算出手段、彩度比率算出手段、彩度範囲情報算出手段、修正彩度値算出手段、画像データ出力手段等の構成は、上記実施の形態に例示したものに限定されるものではなく、本発明の要旨を逸脱しない範囲において適宜変更可能である。
【００３８】
例えば、上記実施の形態では、色変換装置４を単独のディジタル画像処理コンピュータ等により構成した場合を例示したが、これに代えて、色変換装置４を出力装置５に搭載して画像形成装置を構成してもよく、或いは色変換装置４を出力装置５や入力装置１等が一体となった複合装置（ＭＦＰ（マルチファンクションペリフェラル））等の画像形成装置に搭載するようにしてもよい。
【図面の簡単な説明】
【００３９】
【図１】本発明の実施の形態の一例である画像データの色変換装置を備えたカラー画像処理システムのブロック図である。
【図２】本発明の実施の形態の一例である画像データの色変換装置のブロック図である。
【図３】全色相における入力画像データを複数の色相角で区分した状態を示す図である。
【図４】一つの色相角における彩度値の分布を示すグラフ図である。
【図５】対応テーブル情報の各値を示す図表である。
【図６】ＣＭＹ１００％組み合わせカラーサンプルを示す図である。
【図７】図６に示したカラーサンプルの測色した結果を示す図である。
【図８】本発明の実施の形態の一例である色変換装置の動作を説明するためのフローチャート図である。
【符号の説明】
【００４０】
１  入力装置
４  色変換装置
５  出力装置
６  彩度量分布情報算出手段
７  彩度比率算出手段
８  彩度範囲情報算出手段
９  修正彩度値算出手段
１０  画像データ出力手段
【図１】
0004472594.tif 000002
【図２】
0004472594.tif 000003
【図３】
0004472594.tif 000004
【図４】
0004472594.tif 000005
【図５】
0004472594.tif 000006
【図６】
0004472594.tif 000007
【図７】
0004472594.tif 000008
【図８】
0004472594.tif 000009